(57)【要約】【課題】測定器の測定作業を効率的に行える読取表示システムの提供。【解決手段】携帯型コンピュータ2は、表示部21、表示駆動部22、測定器の目盛板及び指針とＩＤ情報とを撮像する撮像部23、及び撮像情報を送信する第一送信部24を有する。読取値測定用コンピュータ3は、第一送信部24から送信された撮像情報を取得する情報取得部31と、測定器の目盛板の正面に対する傾き角度、傾き角度における指針の読取値及び正しい測定値との対応関係を測定器の機種毎に記憶する対応関係記憶部321と、撮像情報に基づいて目盛板の正面に対する傾きを認識する目盛板傾き認識部33と、当該傾きにおける指針の読取値を認識する指針認識部34と、目盛板の正面に対する傾き角度に応じた正しい測定値を演算する測定値演算部351と、演算された測定値を表示部21で表示させる信号を表示駆動部22に送る第二送信部36とを有する。【選択図】図２
2019091301.tif 000002
【特許請求の範囲】
【請求項１】
測定器で測定した物理量の測定値を読み取って表示する読取表示システムであって、
表示部と、前記表示部に測定値を表示させる表示駆動部と、前記測定器の測定値と前記測定器を特定し機種を含んだＩＤ情報とを取得する第一情報取得部と、前記第一情報取得部で取得された測定値及びＩＤ情報を送信する第一送信部と、を有する携帯型コンピュータと、
前記第一送信部から送信された測定値及びＩＤ情報を取得する第二情報取得部と、前記ＩＤ情報に基づき設定された測定値の許容範囲を記憶する許容範囲記憶部と、前記第二情報取得部で取得された測定値が前記許容範囲記憶部で記憶された前記測定値の許容範囲にあるか否かを判断する判断処理演算部と、前記判断処理演算部で判断された結果、前記測定器の測定値及び前記許容範囲を前記表示部で表示させる信号を前記表示駆動部に送る第二送信部と、を有する読取値測定用コンピュータと、を備えた、
ことを特徴とする読取表示システム。
【請求項２】
測定器で測定した物理量の測定値を読み取って表示する読取表示システムであって、
表示部と、前記表示部に測定値を表示させる表示駆動部と、前記測定器の目盛板及び指針と前記測定器を特定し機種を含んだＩＤ情報とを撮像する撮像部と、前記撮像部で撮像された撮像情報を送信する第一送信部と、を有する携帯型コンピュータと、
前記第一送信部から送信された撮像情報を取得する情報取得部と、前記測定器の前記目盛板の正面に対する傾き角度、当該傾き角度における指針の読取値及び正しい測定値の対応関係を測定器の機種毎に記憶する対応関係記憶部と、前記情報取得部で取得された撮像情報に基づいて前記目盛板の正面に対する傾きを認識する目盛板傾き認識部と、当該傾きにおける指針の読取値を認識する指針認識部と、前記情報取得部、前記目盛板傾き認識部、前記指針認識部及び前記対応関係記憶部に基づいて、前記目盛板の正面に対する傾きに応じた正しい測定値を演算する測定値演算部と、前記測定値演算部で演算された正しい測定値を前記表示部で表示させる信号を前記表示駆動部に送る第二送信部と、を有する読取値測定用コンピュータと、を備えた、
ことを特徴とする読取表示システム。
【請求項３】
請求項２に記載された読取表示システムにおいて、
前記目盛板傾き認識部は、前記目盛板において前記指針の回動中心を中心として円弧状に並んで配置された３点以上の目盛、又は、前記目盛板上の３点以上の印、のうち異なる３点に基づいて、前記目盛板の傾きを認識する、
ことを特徴とする読取表示システム。
【請求項４】
請求項２又は請求項３に記載された読取表示システムにおいて、
前記携帯型コンピュータは、前記目盛板を基に設定され撮像位置を誘導する表示が前記表示部に表示された際に、前記撮像部で自動的に撮像させる撮像誘導部を有する、
ことを特徴とする読取表示システム。
【請求項５】
請求項２乃至請求項４のいずれか１項に記載された読取表示システムにおいて、
前記指針認識部は、前記目盛板の前記指針が回動する領域に応じて複数の仮想線を等間隔に設定する仮想線設定部と、前記仮想線設定部で設置された複数の仮想線のうち前記指針で隠れる仮想線を特定する仮想線特定部とを有する、
ことを特徴とする読取表示システム。
【請求項６】
請求項２乃至請求項５のいずれか１項に記載された読取表示システムにおいて、
前記測定器の機種毎に前記測定器の前記目盛板の正面に対する傾き角度と測定値の許容範囲と関係を記憶する許容範囲記憶部と、
前記情報取得部、前記目盛板傾き認識部、前記指針認識部及び前記許容範囲記憶部に基づいて前記目盛板の正面に対する傾きに応じた正しい測定値の許容範囲を演算する許容範囲演算部と、を備え、
前記第二送信部は、前記許容範囲演算部で演算された正しい測定値の許容範囲を前記測定器の目盛板の画像に重ねて前記表示部で表示させる信号を前記表示駆動部に送る、
ことを特徴とする読取表示システム。
【請求項７】
請求項６に記載された読取表示システムにおいて、
測定値の最大値、最小値及び平均値を演算する３値演算部を備え、
前記撮像部は、前記指針の動画を撮像する動画撮像部を有し、
前記表示駆動部は前記表示部に前記３値演算部で演算された最大値、最小値及び平均値を表示させる、
ことを特徴とする読取表示システム。
【請求項８】
請求項１乃至請求項７のいずれか１項に記載された読取表示システムにおいて、
前記携帯型コンピュータを保持し前記測定器に係止するホルダを備えた、
ことを特徴とする読取表示システム。
【請求項９】
測定器の測定値と前記測定器を特定し機種を含んだＩＤ情報とを携帯型コンピュータの第一情報取得部が取得し、
前記測定値及びＩＤ情報を第一送信部が読取値測定用コンピュータの第二情報取得部に送り、
前記第二情報取得部で取得されたＩＤ情報に基づいて許容範囲記憶部で記憶された測定値の許容範囲に対して、前記第二情報取得部で取得された測定値が許容範囲か否かを判断処理演算部が判断し、
前記判断処理演算部で判断された結果と、前記測定器の測定値及び前記許容範囲とを、第二送信部が携帯型コンピュータの表示駆動部に送り、前記表示駆動部が表示部に表示させる、
ことを特徴とする読取表示方法。
【請求項１０】
携帯型コンピュータの撮像部で撮像された測定器のＩＤ情報と目盛板及び指針の撮像情報とを第一送信部が読取値測定用コンピュータの情報取得部に送り、
前記撮像情報から目盛板の正面に対する角度と当該角度における指針の読取値とを目盛板傾き認識部が認識し、
前記目盛板傾き認識部で認識された目盛板の角度と読取値の情報と、対応関係記憶部で機種毎に記憶された前記測定器の前記目盛板の正面に対する傾き角度、当該傾き角度における指針の読取値及び正しい測定値の対応関係と、前記情報取得部で取得された測定器のＩＤ情報と、に基づいて測定値演算部が正しい測定値を演算し、
前記測定値演算部で演算された正しい測定値を第二送信部が前記携帯型コンピュータの表示駆動部に送り、前記表示駆動部が正しい測定値を表示部に表示させる、
ことを特徴とする読取表示方法。
【請求項１１】
携帯型コンピュータから送信された測定器の目盛板及び指針と前記測定器を特定し機種を含んだＩＤ情報との撮像情報を取得する情報取得部と、
前記測定器の機種に前記測定器の前記目盛板の正面に対する傾き角度と測定値の補正値と関係を記憶する対応関係記憶部と、
前記情報取得部で取得された情報に基づいて前記目盛板の正面に対する角度と当該角度における指針の読取値とを認識する目盛板傾き認識部と、
前記情報取得部、前記目盛板傾き認識部及び前記対応関係記憶部に基づいて前記目盛板の正面に対する傾きに応じた正しい測定値を演算する測定値演算部と、
前記測定値演算部で演算された正しい測定値を前記携帯型コンピュータで表示させる信号を送信する第二送信部と、を備えた、
ことを特徴とする読取値測定装置。
【発明の詳細な説明】
【技術分野】
【０００１】
本発明は、読取表示システム、読取表示方法及び読取値測定装置に関する。
【背景技術】
【０００２】
製造ライン、工場内では、多種多様の測定器が用いられている。作業員は、これらの測定器の測定値を読み取り、必要に応じて手元のノート等に記録する作業を行うことがある。
広い製造ライン、工場内では、測定器の数や機種も多くなり、巡回しながら測定器の機種毎に測定値をチェックする作業を時間内に終了することは作業員にとって大きな負担となっている。
また、測定値が許容範囲か否か、換言すれば、正常範囲か異常範囲かの判断も作業員にとって大きな負担である。
【０００３】
測定器には、測定値がデジタル表示されるデジタル式測定器の他、指針が目盛板の指す位置を目視して測定値を読み取るアナログ式測定器がある。
アナログ式測定器は、目盛板の正面から測定値を読み取るものであるが、作業員の経験が浅い場合や、測定器の設置場所が作業員から離れた位置にある場合には、正面に対して斜めから指針を読み取ることになり、読取誤差が生じることになる。
アナログ式測定器の読取誤差を補正するため、指針及び目盛板を撮像装置で撮像し、撮像データを解析や補正する従来例（特許文献１、特許文献２）がある。
【先行技術文献】
【特許文献】
【０００４】
【特許文献１】特許第４７８７５８４号公報
【特許文献２】特許第５７７５６４６号公報
【発明の概要】
【発明が解決しようとする課題】
【０００５】
特許文献１，２の従来例は、読取値の補正や解析を行うものであって、補正や解析する装置から離れた場所にいる作業員が正しい測定値を直ちに見ることができるものではない。しかも、測定器は、機種、設置場所、その他の条件によって、適正な測定値が異なるので、測定器の機種毎に測定値が許容範囲か否かを判断するのは煩雑な作業となるが、特許文献１，２の従来例では、このような煩雑な作業を十分に改善できるもではない。
また、特許文献１，２の従来例や、デジタル式測定器では、測定値が許容範囲か否かの判断もできるものではない。許容範囲が否かを作業員が手元のマニュアル等でチェックすることになり、この点からも、測定作業が煩雑となる。
【０００６】
本発明の目的は、測定器の測定作業を効率的に行える読取表示システム、読取表示方法及び読取値測定装置を提供することにある。
【課題を解決するための手段】
【０００７】
本発明の読取表示システムは、測定器で測定した物理量の測定値を読み取って表示する読取表示システムであって、表示部と、前記表示部に測定値を表示させる表示駆動部と、前記測定器の測定値と前記測定器を特定し機種を含んだＩＤ情報とを取得する第一情報取得部と、前記第一情報取得部で取得された測定値及びＩＤ情報を送信する第一送信部と、を有する携帯型コンピュータと、前記第一送信部から送信された測定値及びＩＤ情報を取得する第二情報取得部と、前記ＩＤ情報に基づき設定された測定値の許容範囲を記憶する許容範囲記憶部と、前記第二情報取得部で取得された測定値が前記許容範囲記憶部で記憶された前記測定値の許容範囲にあるか否かを判断する判断処理演算部と、前記判断処理演算部で判断された結果、前記測定器の測定値及び前記許容範囲を前記表示部で表示させる信号を前記表示駆動部に送る第二送信部と、を有する読取値測定用コンピュータと、を備えたことを特徴とする。
本発明の読取表示方法は、測定器の測定値と前記測定器を特定し機種を含んだＩＤ情報とを携帯型コンピュータの第一情報取得部が取得し、前記測定値及びＩＤ情報を第一送信部が読取値測定用コンピュータの第二情報取得部に送り、前記第二情報取得部で取得されたＩＤ情報に基づいて許容範囲記憶部で記憶された測定値の許容範囲に対して、前記第二情報取得部で取得された測定値が許容範囲か否かを判断処理演算部が判断し、前記判断処理演算部で判断された結果と、前記測定器の測定値及び前記許容範囲とを、第二送信部が携帯型コンピュータの表示駆動部に送り、前記表示駆動部が表示部に表示させる、ことを特徴とする。
【０００８】
一般的に、製造ライン、工場内には、機種の異なる測定器が複数設置されており、作業員は、これらの測定器をそれぞれ測定するために、製造ライン、工場内を巡り、順番に測定器を測定する。
本発明では、測定器から送られる測定値とＩＤ情報との情報を携帯型コンピュータの第一情報取得部で取得する。例えば、測定器と携帯型コンピュータとの無線又は有線で通信が可能な場合では、測定器から送信された測定値とＩＤ情報とを携帯型コンピュータの第一情報取得部で取得し、測定器と携帯型コンピュータとの無線又は有線で通信が不可能な場合には、測定器のデジタル表示と測定器の外面に予め表示されているＩＤ情報とを携帯型コンピュータの撮像部で撮像し、この撮像部から送られる信号に基づいて第一情報取得部が測定値とＩＤ情報とを取得する。
携帯型コンピュータの第一送信部が測定器の測定値とＩＤ情報とを読取値測定用コンピュータの第二情報取得部に送信する。
読取値測定用コンピュータにおいて、ＩＤ情報と関連づけて測定値の許容範囲を許容範囲記憶部で記憶させておく。そして、許容範囲記憶部で記憶された測定値の許容範囲に対して第二情報取得部で取得された測定値が許容範囲か否かを判断処理演算部が判断する。そして、判断処理演算部で判断された結果、測定値及びＩＤ情報を第二送信部が携帯型コンピュータの表示駆動部に送り、表示駆動部が表示部にこれらの情報を表示させる。
そのため、本発明では、機種が異なる測定器毎に、測定値が許容範囲か否かを測定値及びＩＤ情報とともに手元の携帯型コンピュータでチェックすることができるので、機種の異なる測定器であっても、その機種を目視で確認し、マニュアル等でチェックする手間が省かれることになり、測定作業が効率的に行える。
ここで、携帯型コンピュータとしては、例えば、スマートフォン、タブレット端末を例示できる。読取値測定用コンピュータとしては、例えば、ホストコンピュータを例示できる。
【０００９】
本発明の読取表示システムは、測定器で測定した物理量の測定値を読み取って表示する読取表示システムであって、表示部と、前記表示部に測定値を表示させる表示駆動部と、前記測定器の目盛板及び指針と前記測定器を特定し機種を含んだＩＤ情報とを撮像する撮像部と、前記撮像部で撮像された撮像情報を送信する第一送信部と、を有する携帯型コンピュータと、前記第一送信部から送信された撮像情報を取得する情報取得部と、前記測定器の前記目盛板の正面に対する傾き角度、当該傾き角度における指針の読取値及び正しい測定値の対応関係を測定器の機種毎に記憶する対応関係記憶部と、前記情報取得部で取得された撮像情報に基づいて前記目盛板の正面に対する傾きを認識する目盛板傾き認識部と、当該傾きにおける指針の読取値を認識する指針認識部と、前記情報取得部、前記目盛板傾き認識部、前記指針認識部及び前記対応関係記憶部に基づいて、前記目盛板の正面に対する傾きに応じた正しい測定値を演算する測定値演算部と、前記測定値演算部で演算された正しい測定値を前記表示部で表示させる信号を前記表示駆動部に送る第二送信部と、を有する読取値測定用コンピュータと、を備えた、ことを特徴とする。
本発明の読取表示方法は、携帯型コンピュータの撮像部で撮像された測定器のＩＤ情報と目盛板及び指針の撮像情報とを第一送信部が読取値測定用コンピュータの情報取得部に送り、前記撮像情報から目盛板の正面に対する角度と当該角度における指針の読取値とを目盛板傾き認識部が認識し、前記目盛板傾き認識部で認識された目盛板の角度と読取値の情報と、対応関係記憶部で機種毎に記憶された前記測定器の前記目盛板の正面に対する傾き角度、当該傾き角度における指針の読取値及び正しい測定値の対応関係と、前記情報取得部で取得された測定器のＩＤ情報と、に基づいて測定値演算部が正しい測定値を演算し、前記測定値演算部で演算された正しい測定値を第二送信部が前記携帯型コンピュータの表示駆動部に送り、前記表示駆動部が正しい測定値を表示部に表示させる、ことを特徴とする。
本発明の読取値測定装置は、携帯型コンピュータから送信された測定器の目盛板及び指針と前記測定器を特定し機種を含んだＩＤ情報との撮像情報を取得する情報取得部と、前記測定器の機種に前記測定器の前記目盛板の正面に対する傾き角度と測定値の補正値と関係を記憶する対応関係記憶部と、前記情報取得部で取得された情報に基づいて前記目盛板の正面に対する角度と当該角度における指針の読取値とを認識する目盛板傾き認識部と、前記情報取得部、前記目盛板傾き認識部及び前記対応関係記憶部に基づいて前記目盛板の正面に対する傾きに応じた正しい測定値を演算する測定値演算部と、前記測定値演算部で演算された正しい測定値を前記携帯型コンピュータで表示させる信号を送信する第二送信部と、を備えた、ことを特徴とする。
【００１０】
本発明では、作業員は、製造ライン、工場内にある複数の測定器を、巡回しながら順番に測定する。作業員が携帯型コンピュータの撮像部で、被測定対象である測定器のＩＤ情報、目盛板及び指針を撮像する。撮像部で撮像された撮像情報及びＩＤ情報が第一送信部を介して読取値測定用コンピュータに送られる。
読取値測定用コンピュータでは、撮像情報及びＩＤ情報が情報取得部で取得され、情報取得部で取得された撮像情報が目盛板傾き認識部に送られる。目盛板傾き認識部では、撮像情報に基づいた目盛板の正面に対する角度と当該角度における指針の読取値とを認識する。目盛板傾き認識部で認識された目盛板の角度及び読取値の情報と、対応関係記憶部で記憶された測定器毎の測定器の目盛板の正面に対する傾き角度と正しい測定値と関係の情報と、情報取得部で取得された測定器を特定し機種を含んだＩＤ情報とに基づいて測定値演算部で正しい測定値を演算する。測定値演算部で演算された正しい測定値を第二送信部が携帯型コンピュータの表示駆動部に送り、表示駆動部により正しい測定値を表示部で表示させる。
作業員は、手元にある携帯型コンピュータで、目盛板の正面に対して傾いた状態で測定器を撮像したとしても、測定器の機種毎に正しい測定値が演算される。そのため、指針の読取誤差がなく、表示部で表示された正しい測定値を読み取ることができるから、測定作業を効率的に行える。
【００１１】
本発明では、前記目盛板傾き認識部は、前記目盛板において前記指針の回動中心を中心として円弧状に並んで配置された３点以上の目盛、又は、前記目盛板上の３点以上の印、のうち異なる３点に基づいて、前記目盛板の傾きを認識する、構成としてもよい。
目盛板のうち３点を結ぶ三角形は、目盛板の傾きに応じて隣合う頂点間の寸法比が相違する。例えば、目盛板を正面から見た場合の三角形と、目盛板を斜めから見た場合の三角形とでは、三角形を構成する頂点のうち隣合う頂点間の寸法比が相違する。そのため、三角形のうち隣合う頂点間の寸法比を、目盛板を正面から見た場合と斜めから見た場合とで比較することで、斜めから見た場合に目盛板の傾きを認識することができる。
従って、目盛のうち異なる３点に基づいて目盛板の傾きを認識することで、目盛板の傾きを容易に認識することができる。その上、３点の間で目盛が欠けていたとしても、３点があれば、適正に目盛板の傾き角を認識できる。
【００１２】
本発明では、前記携帯型コンピュータは、前記目盛板を基に設定され撮像位置を誘導する表示が前記表示部に表示された際に、前記撮像部で自動的に撮像させる撮像誘導部を有する、構成としてもよい。
この構成では、携帯型コンピュータの表示部に撮像位置を誘導する円形や矩形状の表示が表示されており、この表示に、目盛板を基に設定された撮像位置が一致すると、撮像部が自動的に撮像する。例えば、表示が円形から構成される場合、表示部に円形の一部が表示されたとすると、作業員は円形の全部が表示部に表示されるように、携帯型コンピュータを傾け、あるいは、左右上下に移動させる。円形の表示に撮像位置が全て表示されると、撮像誘導部により、撮像部で自動的に撮像される。
そのため、撮像における角度補正を作業員が効率的に行えるので、コンピュータ処理の軽減と処理のスピードアップを図ることができる。
【００１３】
本発明では、前記指針認識部は、前記目盛板の前記指針が回動する領域に応じて複数の仮想線を等間隔に設定する仮想線設定部と、前記仮想線設定部で設置された複数の仮想線のうち前記指針で隠れる仮想線を特定する仮想線特定部とを有する、構成としてもよい。
この構成では、実際に目盛板に表示される目盛の間隔が大きくても、目盛を構成する複数の仮想線のうち指針で隠れる仮想線の位置を複数の仮想線との関係で割り出すことで、指針を示す位置を正確に認識することができる。そのため、正しい測定値を測定値演算部で演算することができるとともに、表示部で表示することができる。
【００１４】
本発明では、前記測定器の機種毎に前記測定器の前記目盛板の正面に対する傾き角度と測定値の許容範囲と関係を記憶する許容範囲記憶部と、前記情報取得部、前記目盛板傾き認識部、前記指針認識部及び前記許容範囲記憶部に基づいて前記目盛板の正面に対する傾きに応じた正しい測定値の許容範囲を演算する許容範囲演算部とを備え、前記第二送信部は、前記許容範囲演算部で演算された正しい測定値の許容範囲を前記測定器の目盛板の画像に重ねて前記表示部で表示させる信号を前記表示駆動部に送る、構成としてもよい。
この構成では、撮像部で撮像された指針の撮像情報及びＩＤ情報が情報取得部で取得され、許容範囲演算部では、許容範囲記憶部から呼び出した正しい測定値の許容範囲と、目盛板傾き認識部で認識された目盛板の傾きとに基づいて、目盛板の傾きに応じた許容範囲を演算し、この演算結果を第二送信部で携帯型コンピュータの表示駆動部に送り、表示部で表示される。
そのため、測定値が正しい範囲にあるか否かを測定者は表示部で表示された情報に基づいて、直ちに認識することができるから、測定作業の効率化が図れる。
【００１５】
本発明では、測定値の最大値、最小値及び平均値を演算する３値演算部を備え、前記撮像部は、前記指針の動画を撮像する動画撮像部を有し、前記表示駆動部は前記表示部に前記３値演算部で演算された最大値、最小値及び平均値を表示させる、構成としてもよい。
ポンプの振動等によって、測定中の指針が所定の範囲内で振動を繰り返すことがあり、この場合、指針の静止位置が特定しにくく、表示部を通じて測定値が目視しにくい。
そのため、動画撮像部によって、指針の動画を撮像し、３値演算部によって、動画を所定時間毎の静止画に分割し、これらの静止画における測定値の最大値、最小値及び平均値のそれぞれの平均を演算し、これらの演算値を表示部に表示させる。
この構成では、最大値、最小値及び平均値を作業員が手元にある携帯型コンピュータで容易に読み取ることができる。
【００１６】
本発明では、前記携帯型コンピュータを保持し前記測定器に係止するホルダを備えた、構成としてもよい。
この構成では、携帯型コンピュータを目盛板の正面に向けた状態で、ホルダにて保持するようにすれば、補正の必要のない位置での撮像により、より正確な測定値を求めることができるとともに、手ぶれ等の撮像時に生じる不具合を回避することができる。
【図面の簡単な説明】
【００１７】
【図１】本発明の第１実施形態の読取表示システムを示す概略図。
【図２】読取表示システムのブロック図。
【図３】（Ａ）は目盛板を正面から傾けて見た場合の模式図、（Ｂ）は目盛板を正面視した場合の模式図。
【図４】指針認識部を説明する概略構成図。
【図５】第１実施形態の読取表示方法を説明するためのフローチャート。
【図６】本発明の第２実施形態の読取表示システムを示すブロック図。
【図７】撮像誘導部を説明する概略構成図。
【図８】第２実施形態の読取表示方法を説明するためのフローチャート。
【図９】本発明の第３実施形態の読取表示システムを示す概略図。
【図１０】読取表示システムのブロック図。
【図１１】読取表示方法のフローチャート。
【発明を実施するための形態】
【００１８】
本発明の実施形態を図面に基づいて説明する。
［第１実施形態］
まず、本発明の第１実施形態を図１から図６に基づいて説明する。
図１には、第１実施形態の読取表示システムの概略構成が示されている。
図１において、読取表示システムは、測定器１で測定した物理量の測定値を読み取って表示する読取表示システムであり、スマートフォン、タブレット端末等からなる携帯型コンピュータ２と、携帯型コンピュータ２と無線通信あるいはインターネット通信する読取値測定用コンピュータ３とを備える。
第１実施形態では、測定器１は、配管１０に取り付けられ物理量として被測定流体の圧力を測定する圧力計であり、ケース１１と、目盛板１２と、目盛板１２の目盛を先端部が指す指針１３と、配管１０の内部の圧力を指針１３に伝達する圧力伝達機構（図示せず）とを有する。
【００１９】
目盛板１２には、指針１３の回動中心を中心として形成された円弧状部１４と、円弧状部１４に沿って所定間隔毎に配置された目盛１５とが表示されている。
目盛板１２の下部には、型式、シリアル番号、製造年月日、メンテナンス日時等のＩＤ情報１６が表示されている。なお、図１のように、型式やシリアル番号等のＩＤ情報１６が目盛板１２に直接表示されるものの他、型式、シリアル番号、圧力レンジ、製造年月日等のＩＤ情報１６をＩＣタグに記録したものでもよい。
第１実施形態では、携帯型コンピュータ２を正視した状態で保持し測定器１に係止するホルダ１７を備えてもよい。
【００２０】
図２には、読取表示システムのブロック図が示されている。
図２において、携帯型コンピュータ２は、入力部２０と、表示部２１と、表示部２１に測定値を表示させる表示駆動部２２と、測定器１の目盛板１２、指針１３及びＩＤ情報１６を撮像する撮像部２３と、撮像部２３で撮像された目盛板１２、指針１３及びＩＤ情報１６の撮像情報を読取値測定用コンピュータ３に送信する第一送信部２４と、を有する。
表示部２１は、図１で示される携帯型コンピュータ２の正面では平面矩形状とされる。
【００２１】
撮像部２３は、図示しないレンズを通して画像情報を取り込み、第一送信部２４に送るものであり、図示しない操作ボタンにより、取り込んだ画像を撮像する。
撮像部２３は、静止画像を撮像する静止画撮像部２３１と、動画を撮像する動画撮像部２３２とを有する。
入力部２０は、表示部２１に表示された図示しない操作パネルやボタン等によって、あるいは、携帯型コンピュータ２の表示部２１の周囲に設けられたボタン２Ａ（図１参照）によって、携帯型コンピュータ２を操作するために必要な情報の入力を行う他、静止画撮像部２３１と動画撮像部２３２との切換を行う。
第一送信部２４は、撮像情報の他、撮像した日時、ＧＰＳ、ビーコン等で取得した位置情報、別途取得した天気及び温度情報を読取値測定用コンピュータ３に送る。
【００２２】
読取値測定用コンピュータ３は、読取値測定装置であり、第一送信部２４から送信された撮像情報を取得する情報取得部３１と、記憶部３２と、目盛板傾き認識部３３と、目盛板傾き認識部３３で認識された傾きにおける指針１３の読取値を認識する指針認識部３４と、演算部３５と、演算部３５で演算された結果を表示部２１で表示させるように表示駆動部２２に信号を送る第二送信部３６と、入力部３７とを有する。入力部３７は、読取値測定用コンピュータ３の操作に必要な情報を入力する他、記憶部３２へ記憶する情報を入力する。
記憶部３２は、対応関係記憶部３２１と、測定器１の機種毎に測定器１の目盛板１２の正面に対する傾き角度αと測定値の許容範囲Ｗと関係を記憶する許容範囲記憶部３２２と、を有する。
【００２３】
対応関係記憶部３２１は、目盛板１２を正面視した場合の指針１３が指す目盛の所定位置と、目盛板１２の正面視に対して指針１３の回動中心を含む所定線分を中心とした傾き角度αと、角度αを傾けた場合の指針１３が指す目盛１５の所定位置との関係を記憶する。目盛板１２を正面視した場合の指針１３が指す目盛１５の位置と、目盛板１２を正面視に対して角度αだけ傾けた場合の指針１３が指す目盛１５の位置とを、所定間隔毎、例えば、０．００１ＭＰａ間隔毎に記憶する。さらに、傾き角度αに関して、目盛板１２の正面視に対して指針１３の回動中心を含む線分は、図１における上下だけでなく左右方向も含まれる。
例えば、目盛板１２を正面視した場合の指針１３が目盛の０．６２０ＭＰａを指しており、目盛板１２の正面視に対して指針１３の回動中心を含む上下の線分を中心として角度αを傾けた場合に、指針１３が０．６１８ＭＰａを指したとすると（図１参照）、正面視での指針１３が目盛１５を指す位置、傾き角度α、角度αにおける指針１３が目盛１５を指す位置を対応関係記憶部３２１で記憶する。
目盛板１２の大きさや目盛１５の配置、測定レンジ等は、測定器１の機種毎に異なるので、機種と紐づけて、目盛板１２を正面視した場合の指針１３が指す目盛の所定位置と、目盛板１２の正面視に対して指針１３を傾けた角度αと、角度αを傾けた場合の指針１３が指す目盛の所定位置との関係を予め求め、対応関係記憶部３２１で記憶する。
許容範囲記憶部３２２で記憶される測定器１の測定値の許容範囲Ｗは、上限値Ｗ１と下限値Ｗ２とで規定されるものであり（図１参照）、かつ、測定器１が設置されるプラント等により異なる。
【００２４】
目盛板傾き認識部３３は、情報取得部３１で取得されたＩＤ情報１６及び撮像情報に基づいて目盛板１２の正面に対する傾き角度αを認識するものである。
目盛板傾き認識部３３について、図３に基づき説明する。
図３において、目盛板１２は、正面視から角度αだけ傾けて見た場合（図３（Ａ）参照）と、正面視で見た場合（α＝０、図３（Ｂ）参照）とでは、見え方が相違する。
【００２５】
目盛板１２のうち所定の目盛１５に３点の円形の印３３Ａ，３３Ｂ，３３３Ｃを設定する。３点の印３３Ａ，３３Ｂ，３３Ｃを結ぶ三角形３３Ｔは、図３（Ａ）に示される正面に対して斜めから見た場合では、図３（Ｂ）で示される正面視の場合に比べて、各辺の長さが変化する。例えば、印３３Ａと印３３Ｂとの間（底辺）の長さをＬ１、印３３Ａと印３３Ｃとの間（斜辺）の長さをＬ２、印３３Ｂと印３３Ｃとの間（斜辺）の長さをＬ３、三角形の高さをＬ４とすると、目盛板１２を正面視から左右方向（水平方向）に対して斜めで見た場合は、高さＬ４は変化しないが、長さＬ１が変化する。目盛板１２を正面から上下方向に対して斜めで見た場合は、長さＬ１は変化しないが、高さＬ４が変化する。これらの長さＬ１，Ｌ２，Ｌ３，Ｌ４の相対的な変化の割合と、目盛板１２の傾き角度αとの関係を予め求めておき、対応関係記憶部３２１に記憶させておく。なお、３点の印３３Ａ，３３Ｂ，３３Ｃを円形としたが、四角形や三角形の形状でもよい。さらに、印は４点以上でもよい。印３３Ａ，３３Ｂ，３３Ｃに変えて、所定の目盛１５を用いてもよい。
【００２６】
図２において、指針認識部３４は、仮想線設定部３４１と仮想線特定部３４２とを有する。
図４には指針認識部３４を説明する概略構成が示されている。
図４において、仮想線設定部３４１は、円弧状部１４に並んで配置された目盛１５のうち隣合う目盛１５の間に等間隔に仮想線３４３を複数本（例えば、隣合う目盛１５を十等分するように目盛１５の間に９本）を表示部２１に表示させる。仮想線３４３は、指針１３の回動中心に向け、かつ、その指針側の端部が指針１３の先端に隠れる長さ、つまり、目盛１５と同じ長さに設定される。なお、図４では、仮想線３４３は、目盛１５との相違を分かりやすくするため、破線で示されているが、目盛１５と同じ実線で表示されるものでもよい。
仮想線特定部３４２は、仮想線設定部３４１で設置された複数の仮想線３４３のうち指針１３で隠れる仮想線３４３を特定するものであり、複数の仮想線３４３のうち指針１３で隠れて長さが短くなった仮想線３４３を指針１３が指している値として画像認識する。
【００２７】
図２において、演算部３５は、目盛板１２の正面に対する傾き角度αに応じた正しい測定値を演算する測定値演算部３５１と、目盛板１２の正面に対する傾き角度αに応じた正しい測定値の許容範囲Ｗを演算する許容範囲演算部３５２と、動画撮像時における測定値の最大値、最小値及び平均値の３値を演算する３値演算部３５３とを有する。
測定値演算部３５１は、情報取得部３１で取得した撮像情報及びＩＤ情報１６と、目盛板傾き認識部３３で取得した目盛板１２の傾き角度α、指針認識部３４で取得した傾き角度αにおける指針１３の位置、対応関係記憶部３２１で機種毎に記憶された測定器１の目盛板１２の正面に対する傾き角度α、当該傾き角度αにおける指針１３の読取値及び正しい測定値の対応関係から、目盛板１２の正面に対する傾き角度αに応じた正しい測定値を演算する。測定値演算部３５１で演算された正しい測定値Ｘは、ＩＤ情報１６とともに表示部２１において、デジタル表示される（図１参照）。なお、測定値演算部３５１で演算された測定値は、図示しない演算値記憶部で一旦記憶させ、必要に応じて携帯型コンピュータ２の表示部２１や読取値測定用コンピュータ３の図示しない表示部に、測定日時、測定器１のＩＤ情報１６とともに表示させるようにしてもよい。
【００２８】
許容範囲演算部３５２は、情報取得部３１で取得した撮像情報及びＩＤ情報１６と、目盛板傾き認識部３３で取得した目盛板１２の傾き角度α、指針認識部３４で取得した傾き角度αにおける指針１３の位置、許容範囲記憶部３２２で記憶された測定器１の目盛板１２の正面に対する傾き角度αと測定値の許容範囲Ｗと関係に基づいて、許容範囲Ｗを目盛板１２が角度αだけ傾いた状態の指針１３が目盛１５を指す位置を求める。
演算された結果の許容範囲Ｗは、表示駆動部２２によって、表示部２１に測定器１の目盛板１２の上に重ねて表示される（図１参照）。
３値演算部３５３は、動画撮像部２３２から第一送信部２４及び情報取得部３１を介して送られた指針１３の動画を所定時間毎の静止画に分割し、これらの静止画における測定値の最大値、最小値及び平均値のそれぞれの平均を演算する。演算結果は、表示駆動部２２によって、表示部２１に、例えば、デジタル表示される（図示せず）。
【００２９】
次に、第１実施形態の読取表示方法を図５のフローチャートに基づいて説明する。
作業員は、製造ライン、工場内にある機種の異なる複数の測定器１を測定するにあたり、携帯型コンピュータ２を所持し、測定ルートに沿って巡回し、測定器１を測定する。
図５において、まず、作業員は、携帯型コンピュータ２を操作し、入力部２０で静止画を撮像するか動画を撮像するかを選択する（Ｓ１０１）。圧力測定時において、指針１３の振動が少ない場合には、作業員は静止画を選択する。
作業員は携帯型コンピュータ２の図示しないレンズを測定器１に向ける。すると、測定器１のＩＤ情報１６と目盛板１２及び指針１３の静止画情報とが静止画撮像部２３１で取得され、静止画撮像部２３１で取得された測定器１のＩＤ情報１６と目盛板１２及び指針１３の静止画情報とを、第一送信部２４が読取値測定用コンピュータ３の情報取得部３１に送る（Ｓ１０２）。
【００３０】
情報取得部３１で取得された測定器１のＩＤ情報１６と目盛板１２及び指針１３の撮像情報から、目盛板１２の正面に対する角度αと当該角度αにおける指針１３の読取値とを機種に応じて目盛板傾き認識部３３が認識する（Ｓ１０３）。
目盛板傾き認識部３３で認識された目盛板１２の角度αと読取値の情報と、対応関係記憶部３２１で機種毎に予め記憶された測定器１の目盛板１２の正面に対する傾き角度α、当該傾き角度αにおける指針１３の読取値及び正しい測定値の対応関係と、情報取得部３１で取得された測定器１のＩＤ情報１６と、に基づいて測定値演算部３５１が正しい測定値を演算する（Ｓ１０４）。
測定値演算部３５１で演算された正しい測定値を第二送信部３６が携帯型コンピュータ２の表示駆動部２２に送り、表示駆動部２２が正しい測定値を表示部２１にデジタル表示させる（Ｓ１０５）。さらに、許容範囲演算部３５２は、許容範囲Ｗを目盛板１２が角度α傾いた状態での値を演算し（Ｓ１０６）、その演算した許容範囲Ｗを第二送信部３６から信号を受けた表示駆動部２２が表示部２１に目盛板１２と重ねて表示させる（Ｓ１０７）。
【００３１】
一方、測定器１が接続されている配管１０がポンプ等に連通されており、このポンプ等の影響により、指針１３が所定の位置に一定せず、常に振動している場合には、作業員は、携帯型コンピュータ２を操作して入力部２０で動画を選択する（Ｓ１０１）。
動画撮像部２３２で取得された動画情報を、第一送信部２４が情報取得部３１に送る（Ｓ１０８）。
情報取得部３１で取得された測定器１のＩＤ情報１６と目盛板１２及び指針１３の撮像情報から、目盛板１２の正面に対する角度αと当該角度αにおける指針１３の読取値とを機種に応じて目盛板傾き認識部３３が認識する（Ｓ１０９）。
【００３２】
目盛板傾き認識部３３で認識された目盛板１２の角度αと、角度αにおける読取値の情報と、情報取得部３１から出力された動画情報とを３値演算部３５３が取得する。３値演算部３５３は、指針１３の動画を所定時間毎の静止画に分割し、これらの静止画における測定値の最大値、最小値及び平均値のそれぞれの平均を演算する（Ｓ１１０）。
そして、演算結果を、表示駆動部２２が表示部２１に測定器１の目盛板１２の上に重ねて表示させる（Ｓ１１１）。さらに、許容範囲演算部３５２は目盛板１２が角度α傾いた状態での許容範囲Ｗの値を演算し（Ｓ１０６）、その演算した許容範囲Ｗを表示駆動部２２が表示部２１に目盛板１２と重ねて表示させる（Ｓ１０７）。
このように１つの測定器１の測定が終了したら、作業員は次の測定器１のある場所に向かい、前述と同様の測定作業を行う。
【００３３】
第１実施形態では、次の効果を奏することができる。
（１）読取表示システムは、携帯型コンピュータ２及び読取値測定用コンピュータ３を備え、携帯型コンピュータ２は、表示部２１に測定値を表示させる表示駆動部２２と、測定器１の目盛板１２及び指針１３とＩＤ情報１６とを撮像する撮像部２３と、撮像部２３で撮像された撮像情報を送信する第一送信部２４とを有し、読取値測定用コンピュータ３は、第一送信部２４から送信された撮像情報を取得する情報取得部３１と、測定器１の目盛板１２の正面に対する傾き角度α、傾き角度αにおける指針１３の読取値及び正しい測定値の対応関係を測定器１の機種毎に記憶する対応関係記憶部３２１と、情報取得部３１で取得された撮像情報に基づいて目盛板１２の正面に対する傾きを認識する目盛板傾き認識部３３と、当該傾きにおける指針１３の読取値を認識する指針認識部３４と、情報取得部３１、目盛板傾き認識部３３、指針認識部３４及び対応関係記憶部３２１に基づいて目盛板１２の正面に対する傾き角度αに応じた正しい測定値を演算する測定値演算部３５１と、測定値演算部３５１で演算された正しい測定値を表示部２１で表示させる信号を表示駆動部２２に送る第二送信部３６と、を有する。これにより、作業員は、手元にある携帯型コンピュータ２で、目盛板１２の正面に対して傾いた状態で測定器１を撮像したとしても、測定器１の機種毎に正しい測定値が演算され、この演算値を表示部２１で読み取ることができるから、測定作業を効率的に行える。
【００３４】
（２）目盛板傾き認識部３３は、目盛板１２において指針１３の回動中心を中心として円弧状に並んで配置された３点の印３３Ａ，３３Ｂ，３３Ｃに基づいて、目盛板１２の傾きを認識するから、目盛板１２の傾きを容易に認識することができる上、３点の印３３Ａ，３３Ｂ，３３Ｃの間で目盛１５が欠けていたとしても、適正に目盛板１２の傾き角を認識できるから、測定を正確に行える。
【００３５】
（３）指針認識部３４は、目盛板１２の指針１３が回動する領域に応じて複数の仮想線３４３を等間隔に設定する仮想線設定部３４１と、仮想線設定部３４１で設置された複数の仮想線３４３のうち指針１３で隠れる仮想線３４３を特定する仮想線特定部３４２とを有するから、目盛板１２に表示される目盛１５の間隔が大きくても、目盛１５を構成する複数の仮想線３４３のうち指針１３で隠れる仮想線３４３の位置を割り出すことで、指針１３を示す位置を正確に認識することができる。
【００３６】
（４）測定器１の目盛板１２の正面に対する傾き角度αと測定値の許容範囲との関係を記憶する許容範囲記憶部３２２と、目盛板１２の正面に対する傾きに応じた正しい測定値の許容範囲を演算する許容範囲演算部３５２とを備え、第二送信部３６は、許容範囲演算部３５２で演算された正しい測定値の許容範囲を測定器１の目盛板１２の画像に重ねて表示部２１で表示させる信号を表示駆動部２２に送るから、測定値が正しい範囲にあるか否かを測定者は表示部２１で表示された情報に基づいて直ちに認識することができることになり、測定作業の効率化が図れる。
【００３７】
（５）測定値の最大値、最小値及び平均値を演算する３値演算部３５３を備え、撮像部２３は、指針１３の動画を撮像する動画撮像部２３２を有し、表示駆動部２２は表示部２１に３値演算部３５３で演算された測定値の最大値、最小値及び平均値を表示させるので、指針１３の振動が大きく、目盛板１２を目視しただけでは最大値、最小値及び平均値がわかりにくい場合でも、作業員が手元にある携帯型コンピュータ２でこれらの値を読み取ることができる。
【００３８】
（６）携帯型コンピュータ２を保持し測定器１に係止するホルダ１７を備えれば、補正の必要のない位置での撮像により、より正確な測定値を求めることができるとともに、手ぶれ等の撮像時に生じる不具合を回避することができる。
【００３９】
［第２実施形態］
次に、本発明の第２実施形態を図６から図８に基づいて説明する。第２実施形態は、携帯型コンピュータ２に撮像誘導部２５を設けた点、及び撮像部２３を静止画撮像部２３１から構成した点が第１実施形態と異なるもので、他の構成は第１実施形態と同じである。第２実施形態の説明において、第１実施形態と同一構成要素は同一符号を付して説明を省略する。
【００４０】
図６には、読取表示システムのブロック図が示されている。
図６において、携帯型コンピュータ２は、入力部２０、表示駆動部２２、撮像部２３、第一送信部２４及び撮像誘導部２５を有する。
撮像部２３は静止画撮像部２３１から構成されており、静止画撮像部２３１は、
入力部２０は、第１実施形態とは異なり、静止画撮像部２３１と動画撮像部２３２との切換を行わない。
読取値測定用コンピュータ３は、情報取得部３１、記憶部３２、目盛板傾き認識部３３、指針認識部３４、演算部３５、第二送信部３６及び入力部３７を有する。
【００４１】
撮像誘導部２５は、撮像位置を誘導する表示Ｓを表示部２１に表示させる（図１参照）とともに、表示Ｓの全てが表示部２１に表示された際に、当該画像情報を撮像部２３に自動的に撮像させるものである。
撮像位置を誘導する表示Ｓを図７に基づいて説明する。図７は、測定器１と、測定器１を撮像する表示部２１を有する携帯型コンピュータ２を示す。
【００４２】
図７で示される通り、表示Ｓは、目盛板１２を基に設定されたものであり、例えば、目盛板１２の円弧状部１４に対応した円として、あるいは、印３３Ａ，３３Ｂ，３３Ｃを円内に含む円として表示部２１に表示される。
携帯型コンピュータ２で目盛板１２の一部あるいは全部が映し出された際に、表示Ｓの一部あるいは全部が表示部２１に表示される。表示Ｓの一部のみが表示部２１に表示される場合には、作業員が表示部２１に表示Ｓの全てが表示されるように、携帯型コンピュータ２の向き、姿勢、距離、ズーム、照明を調整する。表示部２１に円の表示Ｓの全てが表示されたら、撮像部２３に取り込まれた画像情報が自動的に撮像される。
なお、図７では、表示Ｓが円であるが、本実施形態では、表示Ｓは正方形、その他の形状であってもよい。
【００４３】
次に、第２実施形態の読取表示方法を図８のフローチャートに基づいて説明する。
図８において、作業員は、第１実施形態と同様に、携帯型コンピュータ２の図示しないレンズを測定器１に向ける。
作業員が目盛板１２に携帯型コンピュータ２のレンズを向けると、撮像誘導部２５が携帯型コンピュータ２の表示部２１に円形の表示Ｓを表示する（Ｓ２０１）。作業員によって、携帯型コンピュータ２の向きや姿勢が変わり、表示Ｓの全体が表示部２１に表示されると（Ｓ２０２）、撮像誘導部２５２が静止画撮像部２３１にＩＤ情報１６と静止画とを自動的に撮像させる（Ｓ２０３）。
【００４４】
静止画撮像部２３１で撮像されたＩＤ情報１６及び静止画を第一送信部２４が情報取得部３１に送る（Ｓ２０４）。
情報取得部３１で取得されたＩＤ情報１６、目盛板１２及び指針１３の撮像情報から、目盛板１２の正面に対する角度αと当該角度αにおける指針１３の読取値とを機種に応じて目盛板傾き認識部３３が認識する（Ｓ２０５）。
目盛板傾き認識部３３で認識された目盛板１２の角度αと読取値の情報と、予め記憶された測定器１の目盛板１２の正面に対する傾き角度α、指針１３の読取値及び正しい測定値の対応関係と、情報取得部３１で取得された測定器１のＩＤ情報１６と、に基づいて測定値演算部３５１が正しい測定値を演算する（Ｓ２０６）。
正しい測定値を第二送信部３６が携帯型コンピュータ２の表示駆動部２２に送り、表示駆動部２２が正しい測定値を表示部２１にデジタル表示させる（Ｓ２０７）。さらに、許容範囲演算部３５２は、許容範囲Ｗを目盛板１２が角度α傾いた状態での値を演算し（Ｓ２０８）、その演算した許容範囲Ｗを第二送信部３６から信号を受けた表示駆動部２２が表示部２１に目盛板１２と重ねて表示させる（Ｓ２０９）。
【００４５】
第２実施形態では、第１実施形態と同様の効果を奏することができる他、次の効果を奏することができる。
（７）目盛板１２を基に設定され撮像位置を誘導する表示Ｓが表示部２１に表示された際に、撮像部２３で自動的に撮像させる撮像誘導部２５を備えている。そのため、撮像における角度補正を作業員が効率的に行うことができるから、コンピュータ処理の軽減と処理のスピードアップを図ることができる。
なお、第２実施形態において、撮像部２３を動画撮像部２３２から構成してもよい。
【００４６】
［第３実施形態］
次に、本発明の第３実施形態を図９から図１１に基づいて説明する。第３実施形態は、圧力値をデジタル表示する測定器４を測定するものである点で、第１実施形態と異なるもので、他の構成は第１実施形態と同じである。第３実施形態の説明において、第１実施形態と同一構成要素は同一符号を付して説明を省略する。
【００４７】
図９には第３実施形態にかかる読取表示システムの概略が示されている。
図９において、読取表示システムは、スマートフォン、タブレット端末等からなり測定器４からの情報を取得する携帯型コンピュータ５と、携帯型コンピュータ５と無線通信あるいはインターネット通信する読取値測定用コンピュータ６とを備える。
第３実施形態では、測定器４は、ケース４１と、測定値を演算する演算部４２と、演算部４２で演算された測定値をデジタル表示するデジタル表示部４３と、測定器４のＩＤ情報１６を記憶するＩＤ情報記憶部４４と、演算部４２で演算された測定値とＩＤ情報記憶部４４で記憶されたＩＤ情報１６とを携帯型コンピュータ５に送信する送信部４５とを備えた圧力計である。
ケース４１の正面には、ＩＤ情報１６が表示されている。なお、ＩＤ情報１６がケース４１に直接表示されるものの他、ＩＣタグに記録したものでもよい。
【００４８】
図１０には、読取表示システムのブロック図が示されている。
図１０において、携帯型コンピュータ５は、入力部２０と、表示部２１と、表示部２１に測定値を表示させる表示駆動部２２と、測定器４から送信された測定値ＸとＩＤ情報１６とを取得する第一情報取得部５１と、第一情報取得部５１で取得された測定値Ｘ及びＩＤ情報１６を読取値測定用コンピュータ６に送信する第一送信部５２と、を有する。
【００４９】
読取値測定用コンピュータ６は、第一送信部５２から送信された測定値Ｘ及びＩＤ情報１６を取得する第二情報取得部６１と、ＩＤ情報１６に基づき設定された測定値の許容範囲Ｗを記憶する許容範囲記憶部３２２と、第二情報取得部６１で取得された測定値Ｘが測定値の許容範囲Ｗにあるか否かを判断する判断処理演算部６２と、判断処理演算部６２で判断された演算結果Ｙ、測定器４の測定値Ｘ及び許容範囲Ｗを表示部２１で表示させる信号を表示駆動部２２に送る第二送信部３６と、入力部３７と、を有する。
入力部３７は、読取値測定用コンピュータ６の操作に必要な情報を入力する他、許容範囲記憶部３２２へ記憶する情報を入力する。
【００５０】
判断処理演算部６２は、許容範囲記憶部３２２で記憶された測定値の許容範囲Ｗと第二情報取得部６１で取得された測定値Ｘとを対比し、測定値Ｘが許容範囲Ｗにあるか否かを判断する。
第二送信部３６は、判断処理演算部６２で判断された演算結果Ｙ、測定器１の測定値及び許容範囲Ｗを携帯型コンピュータ５の表示駆動部２２に送る。
表示駆動部２２は、表示部２１に、測定値Ｘ、許容範囲Ｗ及び演算結果Ｙを表示部２１に表示させる。ここで、許容範囲Ｗは、例えば、０．１≦Ｐ≦０．２のように表示され、演算結果Ｙは、例えば、測定値Ｘが許容範囲Ｗにある場合には「ＯＫ」の表示、許容範囲Ｗにない場合には「ＮＯ」の表示がされる。なお、第２実施形態では、演算結果Ｙを測定値Ｘとともに図示しない演算結果記憶部に一旦記憶させておき、必要に応じて、測定した年月日、ＩＤ情報１６とともに表示部２１に表示させるようにしてもよい。
【００５１】
次に、第３実施形態の読取表示方法を図１１に基づいて説明する。
図１１において、まず、測定器４の送信部４５から送信された測定値ＸとＩＤ情報１６とを携帯型コンピュータ５の第一情報取得部５１が取得する（Ｓ３０１）。
測定値Ｘ及びＩＤ情報１６は第一送信部５２に送られ、第一送信部５２が読取値測定用コンピュータ６の第二情報取得部６１に送る（Ｓ３０２）。
第二情報取得部６１で取得されたＩＤ情報１６に基づいて、第二情報取得部６１で取得された測定値Ｘが許容範囲記憶部３２２で記憶された許容範囲Ｗにあるか否かを判断処理演算部６２が判断する（Ｓ３０３）。
判断処理演算部６２で判断された演算結果Ｙが許容範囲Ｗにある場合には演算結果としての「ＯＫ」の表示、測定器４の測定値Ｘ及び許容範囲Ｗを表示部２１に表示させるように、第二送信部３６が携帯型コンピュータ５の表示駆動部２２に信号を送る（Ｓ３０４）。一方、判断処理演算部６２で判断された演算結果Ｙが許容範囲Ｗにない場合には演算結果としての「ＮＯ」の表示、測定器４の測定値Ｘ及び許容範囲Ｗを表示部２１に表示させるように、第二送信部３６が表示駆動部２２に信号を送る（Ｓ３０５）。
表示駆動部２２が表示部２１に測定値Ｘ、許容範囲Ｗ及び許容範囲か否かの演算結果Ｙを表示させる（Ｓ３０６）。
【００５２】
従って、第３実施形態では、次の効果を奏することができる。
（８）読取表示システムは、携帯型コンピュータ５及び読取値測定用コンピュータ６を備え、携帯型コンピュータ５は、表示部２１に測定値Ｘを表示させる表示駆動部２２と、測定器４の測定値ＸとＩＤ情報１６を取得する第一情報取得部５１と、第一情報取得部５１で取得された測定値Ｘ及びＩＤ情報１６を送信する第一送信部５２と、を有し、読取値測定用コンピュータ６は、第一送信部５２から送信された測定値Ｘ及びＩＤ情報１６を取得する第二情報取得部６１と、ＩＤ情報１６に基づき設定された測定値Ｘの許容範囲Ｗを記憶する許容範囲記憶部３２２と、第二情報取得部６１で取得された測定値Ｘが許容範囲記憶部３２２で記憶された測定値の許容範囲Ｗにあるか否かを判断する判断処理演算部６２と、判断処理演算部６２で判断された演算結果Ｙ、測定器４の測定値Ｘ及び許容範囲Ｗを表示部２１で表示させる信号を表示駆動部２２に送る第二送信部３６と、を有する。そのため、測定値Ｘが許容範囲Ｗにあるか否かを、測定値Ｘ及びＩＤ情報１６とともに手元の携帯型コンピュータ５でチェックすることができるので、測定作業が容易となる。
【００５３】
なお、本発明は前述の各実施形態に限定されるものではなく、本発明の目的を達成できる範囲での変形、改良等は本発明に含まれるものである。
例えば、第１実施形態及び第２実施形態では、目盛板傾き認識部３３は、目盛板１２において指針１３の回動中心を中心として円弧状に並んで配置された３点の印３３Ａ，３３Ｂ，３３Ｃに基づき、目盛板１２の傾きを認識する構成としたが、本発明では、目盛板１２の傾きを認識する構成は第１実施形態に限定されるものではなく、例えば、特許第４７８７５８４号公報に記載される通り、撮像した斜めの目盛板を円に補正する構成としてもよい。
【００５４】
さらに、第１実施形態及び第２実施形態では、指針１３が指す位置を認識するために、目盛板１２の指針１３が回動する領域に応じて複数の仮想線３４３を等間隔に設定する仮想線設定部３４１と、仮想線設定部３４１で設置された複数の仮想線３４３のうち指針１３で隠れる仮想線３４３を特定する仮想線特定部３４２とを有する指針認識部３４を備えたが、本発明では、特許第４７８７５８４号公報や特許第５７７５６４６号公報に記載される通り、指針の角度により認識するものでもよい。
【００５５】
また、第１実施形態において、撮像誘導部２５を設けるものでもよい。
第３実施形態では、測定器４は、測定値Ｘ及びＩＤ情報１６を無線で携帯型コンピュータ５に送信したが、本発明では、有線で接続するものでもよい。
また、第３実施形態では、ＩＤ情報１６及びデジタル表示された測定値を携帯型コンピュータ５の撮像部（図示せず）で撮像し、これらの撮像データを、第一送信部５２を介して読取値測定用コンピュータ６に送る構成としてもよい。この構成では、ＩＤ情報記憶部４４がない測定器４を測定することができる。
【００５６】
前記各実施形態では、測定器１，４を圧力計としたが、本発明に適用できる測定器は圧力計に限定されるものではなく、プラント等に配置される配管に接続され配管内を流通する流体の物理量、例えば、差圧、温度、流量を測定するものに適用できる。
また、測定器１，４を圧力計とした場合、ブルドン管を有する機械的圧力計に圧力センサを組み入れた複合型装置にも本発明を適用することができる。
【符号の説明】
【００５７】
１，４…測定器、２，５…携帯型コンピュータ、３…読取値測定用コンピュータ（読取値測定装置）、６…読取値測定用コンピュータ、１２…目盛板、１３…指針、１５…目盛、１６…ＩＤ情報、２１…表示部、２２…表示駆動部、２３…撮像部、２３１…静止画撮像部、２３２…動画撮像部、２４，５２…第一送信部、２５…撮像誘導部、３１…情報取得部、３２…記憶部、３２１…対応関係記憶部、３２２…許容範囲記憶部、３３…目盛板傾き認識部、３４…指針認識部、３４１…仮想線設定部、３４２…仮想線特定部、３５…演算部、３５１…測定値演算部、３５２…許容範囲演算部、３５３…３値演算部、３６…第二送信部、５１…第一情報取得部、６１…第二情報取得部、６２…判断処理演算部、Ｘ…測定値、Ｗ…許容範囲、Ｙ…演算結果、Ｓ…表示
【図１】
2019091301.tif 000003
【図２】
2019091301.tif 000004
【図３】
2019091301.tif 000005
【図４】
2019091301.tif 000006
【図５】
2019091301.tif 000007
【図６】
2019091301.tif 000008
【図７】
2019091301.tif 000009
【図８】
2019091301.tif 000010
【図９】
2019091301.tif 000011
【図１０】
2019091301.tif 000012
【図１１】
2019091301.tif 000013